(57)【要約】【課題】  検査の信頼性を維持できる眼科検査装置を提供する。【解決手段】  被検眼眼底に検査視標を投影して眼底の検査を行う眼科検査装置は、検査視標を形成するための視標投影光学系と、所定の輝度値にて前記検査視標を投影する際の投影光束の光量を検出する検出部と、検出部によって検出される検出結果が所定の光量レベルとなるように前記検出結果に基づいて視標投影光学系における投影光束の光量を調整する制御手段と、を備える。また視標投影光学系は格子状に配列された画素の駆動で眼底に投影する指標を形成する表示パネルと、表示パネルからの光を被検眼に向かう光路と検出部に向かう光路に分岐する光路分岐部材を備える。【選択図】      図２
2013248009.tif 000002
【特許請求の範囲】
【請求項１】
被検眼眼底に検査視標を投影して眼底の検査を行う眼科検査装置において、
前記検査視標を形成するための視標投影光学系と、
所定の輝度値にて前記検査視標を投影する際の投影光束の光量を検出する検出部と、
前記検出部によって検出される検出結果が所定の光量レベルとなるように前記検出結果に基づいて前記視標投影光学系における投影光束の光量を調整する制御手段と、
を備えることを特徴とする眼科検査装置。
【請求項２】
前記視標投影光学系は、各画素が格子状に配列された表示パネルを有し、前記表示パネルが持つ画素の駆動で前記被検眼眼底に投影する指標を形成する表示パネルであって、
前記眼科検査装置は、表示パネルからの光を被検眼に向かう光路と前記検出部に向かう光路に分岐する光路分岐部材を備える請求項１の眼科検査装置。
【請求項３】
前記表示パネルは、光源と、該光源から発せられた光の透過率を制御可能な液晶パネルであって、
前記制御手段は、検出部による投影光束の光量の検出時において前記液晶パネルを所定の透過率に設定する請求項２の眼科検査装置。
【請求項４】
前記表示パネルは、青・赤・緑の各色の光を発し、青・赤・緑の合成により白色の検査指標を形成するためのカラー表示パネルであって、
前記検出部は、青・赤・緑の各色の投影光束の光量をそれぞれ検出し、前記制御手段は、前記検出部からの各色の投影光束の検出結果がそれぞれ所定の光量レベルとなるように前記検出部の検出結果に基づき前記各色の投影光束の光量を個別に調整することを特徴とする請求項３の眼科検査装置。
【請求項５】
制御手段は、さらに、前記検出部の検出結果に基づき、眼底に投影される検査視標が所定の色温度になるように前記表示パネルの駆動を制御することにより前記光源の色温度を補正する請求項２〜４のいずれかの眼科検査装置。
【請求項６】
前記検出部は装置の電源起動時に前記投影光束の光量検出を行うことを特徴とする請求項１〜５のいずれかの眼科検査装置。
【請求項７】
前記光源はＬＥＤ、レーザ又は熱輻射光源のいずれかであることを特徴とする請求項３〜６のいずれかの眼科検査装置。
【請求項８】
前記視標投影光学系は、被検眼眼底に投影する検査視標の位置及び輝度を変化させる視標投影光学系であって、
前記眼科検査装置は、被検者の視認による応答を得て網膜の感度閾値を計測する視野計であり、
前記制御手段は、所定の各輝度値にて刺激視標を投影する際の前記検出部からの検出結果がそれぞれ所定の光量レベルになるように前記検出結果に基づいて前記視標投影光学系における投影光量を調整する請求項１〜７のいずれかの眼科検査装置。
【請求項９】
前記視標投影光学系は、前記光源からの光束を異なる波長帯域の複数の光束に分けるための分光手段と、分光された各光束に対応する複数の液晶パネルと、を備え、
前記検出部は前記分光手段で分光された前記複数の投影光束の光量を検出し、前記制御手段は、前記検出部からの各投影光束の検出結果がそれぞれ所定の光量レベルとなるように前記検出部の検出結果に基づき前記複数の投影光束の光量を個別に調整することを特徴とする請求項３〜８のいずれかの眼科検査装置。
【発明の詳細な説明】
【技術分野】
【０００１】
本発明は患者眼に検査視標を投影して眼の検査をする眼科検査装置に関する。
【背景技術】
【０００２】
眼科検査装置として、患者の眼底を撮影する撮影部を備えると共に、撮影部で撮影された患者の眼底に視野検査用の視標を投影して、患者の応答に基づく視標の明度識別閾値を求める視野検査を行うものが知られている（例えば、特許文献１参照）。
この種の眼科検査装置で得られた眼底像から視神経乳頭や視神経線維束欠損が観察され、視野計の測定結果から患者の光感受性が定量化されることで視機能が評価され、緑内障等の診断に役立てられる。
【先行技術文献】
【特許文献】
【０００３】
【特許文献１】特開２００６‐６１４６１号公報
【発明の概要】
【発明が解決しようとする課題】
【０００４】
ところで装置に使用される光源は輝度及び色度の特性のばらつきや、光源の経時劣化による輝度の低下がある。一方、眼科検査装置の検査で視標の形成に使用される光源の光量が微弱であるために、光源の特性の誤差が検査結果の精度に影響してしまうおそれがある。例えば、視野検査で、被検者の視認による応答を得て網膜の感度閾値を計測する場合、視標光量の微妙な変動であっても、閾値の計測結果に直接的に影響を及ぼしうる。
【０００５】
本発明は上記従来技術の問題点に鑑み、検査の信頼性を維持できる眼科検査装置を提供することを技術課題とする。
【課題を解決するための手段】
【０００６】
上記課題を解決するために、本発明は以下のような構成を備えることを特徴とする。
【０００７】
（１）  被検眼眼底に検査視標を投影して眼底の検査を行う眼科検査装置において、前記検査視標を形成するための視標投影光学系と、所定の輝度値にて前記検査視標を投影する際の投影光束の光量を検出する検出部と、前記検出部によって検出される検出結果が所定の光量レベルとなるように前記検出結果に基づいて前記視標投影光学系における投影光束の光量を調整する制御手段と、を備えることを特徴とする。
（２）  前記視標投影光学系は、各画素が格子状に配列された表示パネルを有し、前記表示パネルが持つ画素の駆動で前記被検眼眼底に投影する指標を形成する表示パネルであって、前記眼科検査装置は、表示パネルからの光を被検眼に向かう光路と前記検出部に向かう光路に分岐する光路分岐部材を備える。
（３）  前記表示パネルは、光源と、該光源から発せられた光の透過率を制御可能な液晶パネルであって、前記制御手段は、検出部による投影光束の光量の検出時において前記液晶パネルを所定の透過率に設定する。
（４）  前記表示パネルは、青・赤・緑の各色の光を発し、青・赤・緑の合成により白色の検査指標を形成するためのカラー表示パネルであって、前記検出部は、青・赤・緑の各色の投影光束の光量をそれぞれ検出し、前記制御手段は、前記検出部からの各色の投影光束の検出結果がそれぞれ所定の光量レベルとなるように前記検出部の検出結果に基づき前記各色の投影光束の光量を個別に調整することを特徴とする。
（５）  制御手段は、さらに、前記検出部の検出結果に基づき、眼底に投影される検査視標が所定の色温度になるように前記表示パネルの駆動を制御することにより前記光源の色温度を補正する。
（６）  前記検出部は装置の電源起動時に前記投影光束の光量検出を行うことを特徴とする。
（７）  前記光源はＬＥＤ、レーザ又は熱輻射光源のいずれかであることを特徴とする。
（８）  前記視標投影光学系は、被検眼眼底に投影する検査視標の位置及び輝度を変化させる視標投影光学系であって、前記眼科検査装置は、被検者の視認による応答を得て網膜の感度閾値を計測する視野計であり、前記制御手段は、所定の各輝度値にて刺激視標を投影する際の前記検出部からの検出結果がそれぞれ所定の光量レベルになるように前記検出結果に基づいて前記視標投影光学系における投影光量を調整する。
（９）  前記視標投影光学系は、前記光源からの光束を異なる波長帯域の複数の光束に分けるための分光手段と、分光された各光束に対応する複数の液晶パネルと、を備え、前記検出部は前記分光手段で分光された前記複数の投影光束の光量を検出し、前記制御手段は、前記検出部からの各投影光束の検出結果がそれぞれ所定の光量レベルとなるように前記検出部の検出結果に基づき前記複数の投影光束の光量を個別に調整することを特徴とする請求項３〜８のいずれかの眼科検査装置。
【発明の効果】
【０００８】
本発明によれば検査の信頼性を維持できる眼科検査装置を提供できる。
【発明を実施するための形態】
【０００９】
本発明の実施形態を図面に基づき説明する。なお以下では、眼底観察及び撮影と、眼底の視野検査を一台で行える眼底検査装置を例に挙げて説明する。図１は眼底検査装置の外観構成図である。図２は眼底検査装置の光学系及び制御系の説明図である。
【００１０】
図１において、眼底検査装置１は、基台１ａと、基台１ａに対して左右方向（Ｘ方向）及び前後（作動距離）方向（Ｚ方向）に移動可能に設けられた移動台２、移動台２に設けられた駆動部６によって患者眼（眼）Ｅに対して左右方向（Ｘ方向）、上下方向（Ｙ方向）及び前後方向（Ｘ方向）に移動可能に設けられた撮影部（装置本体）３、患者の顔を支持するために基台１ａに固設された顔支持ユニット５を備える。なお、撮影部３の内部には後述する光学系及び制御系が収納される。
【００１１】
撮影部３の検者側には、ジョイスティック４、コントロール部７ａ、モニタ８が設けられている。ジョイスティック４は眼Ｅに対して撮影部３を相対移動させるために用いられる。ジョイスティック４が傾倒されると摺動機構によって移動台２が基台１ａ上をＸＺ方向に摺動し、ジョイスティック４の側面に設けられた回転ノブ４ａを回転すると撮影部３がＹ方向に移動する。なおジョイスティック４の頂部のスイッチ４ｂは眼底像の撮影動作のトリガ信号入力に用いられる。コントロール部７ａは、各種撮影・検査条件等の設定に用いられる。コントロール部７ａとしてはマウス、キーボード、タッチパネル（モニタ８に取り付けられる）等の周知の入力手段が用いられる。モニタ８には眼Ｅの観察・撮影画像の他、各種検査結果が表示される。例えば、モニタ８には眼底観察画面、前眼部観察画面、視野検査画面等が表示される。
撮影部３の患者側には、患者に装置内部を覗き込ませる撮影窓９、眼（網膜）の視機能検査時などに患者が応答信号を入力するための応答ボタン７ｂがある。
【００１２】
図２の光学系は、照明光学系１０、眼底や前眼部等の観察・撮影をする観察・撮影光学系３０、眼底にフォーカス指標（フォーカス指標）を投影するフォーカス指標投影光学系４０、患者眼Ｅの視線を誘導する固視標と各種検査視標を呈示する視標呈示光学系７０から構成される。
【００１３】
＜照明光学系＞  照明光学系１０は、撮影照明光学系と観察照明光学系を有する。撮影照明光学系は、可視光束を照射する撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。
観察照明光学系は、近赤外光の光束を照射する照明光源１１、近赤外光を透過する赤外フィルター１２、コンデンサレンズ１３、コンデンサレンズ１３とリングスリット１７との間に配置されたダイクロイックミラー１６、リングスリット１７から孔あきミラー２２までの光学系と、対物レンズ２５を有する。
【００１４】
＜観察・撮影光学系＞  観察・撮影光学系３０は、眼底観察光学系、眼底撮影光学系、前眼部観察光学系を有する。眼底観察光学系は、対物レンズ２５、孔あきミラー２２の開口近傍に位置する撮影絞り３１、光軸方向に移動可能なフォーカシングレンズ３２、結像レンズ３３、跳ね上げミラー３４を備える。跳ね上げミラー３４の反射方向の光路には、赤外光反射・可視光透過の特性を有するダイクロイックミラー３７、リレーレンズ３６、赤外域に感度を有する観察用の二次元撮像素子３８が配置され、赤外光源で照明された眼底像が撮像素子３８で撮影される。なお、跳ね上げミラー３４は挿脱機構３９によって眼底の観察時に光路に挿入され、眼底の撮影時に光路から外される。
眼底撮影光学系は、対物レンズ２５，撮影絞り３１から結像レンズ３３までの光学系を眼底観察光学系と共用する。また眼底撮影光学系は、可視域に感度を有する撮影用の二次元撮像素子３５を備え、可視光源１４で照明された眼底像が撮像素子３５で撮影される。なお、撮影絞り３１は眼Ｅの瞳孔と略共役な位置に置かれる。フォーカシングレンズ３２はモータを備える移動機構４９で光軸に沿って移動される。
【００１５】
以上の構成により眼底の観察時には、照明光源１１を発した光束は対物レンズ２５によって眼Ｅの瞳孔付近で一旦収束された後、拡散して眼底を照明する。眼底からの反射光は、対物レンズ２５、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。眼底の撮影時、撮影光源１４で照明された眼底からの反射光は対物レンズ２５、孔あきミラー２２の開口部、撮影絞り３１、フォーカシングレンズ３２、結像レンズ３３を経て二次元撮像素子３５に結像する。
【００１６】
前眼部観察光学系は、赤外光を発する光源３５ａ、３５ｂ、対物レンズ２５、前眼部観察補助レンズ２６（以下、補助レンズと記す）を有し、穴あきミラー２２から撮像素子３８までの光学系を眼底観察光学系と共用する。赤外光源３５ａ，３５ｂは撮影光軸Ｌ１を挟んで対称的配置された一対の矩形状のＬＥＤ光源であり、眼Ｅの角膜に向けて所定の投影角度で発散光束による有限遠の指標（患者眼に対して垂直方向に延びる矩形状の指標）を投影する。つまり光源３５ａ，３５ｂによって前眼部全体が照明されると共に、眼Ｅと撮影部３の三次元方向のアライメント状態が示される。
【００１７】
なお、補助レンズ２６は駆動手段２６ａの駆動で光路に挿脱される。補助レンズ２０が光軸Ｌ１に置かれたとき前眼部と撮像素子３８が略共役関係になる。つまり前眼部の観察時には、補助レンズ２６が光軸Ｌ１上に置かれて撮像素子３８で撮像された前眼部がモニタ８に表示される。一方、眼底観察時には、補助レンズ２６が駆動手段２６ａの駆動で光路から退避され、撮像素子３８と眼底が略共役関係となり、撮影された眼底像がモニタ８に表示される。
また、本実施形態では穴あきミラーの開口付近（眼底の略共役位置）に点光源２７が設けられており、眼底観察時に点光源２７が点灯されることで、眼底に形成されたワーキングドットＷによる作動距離方向のアライメントが行われるようになっている。
【００１８】
＜フォーカス指標投影光学系＞  フォーカス指標投影光学系４０は、赤外光源４１、スリット指標板４２、スリット指標板４２に取り付けられた２つの偏角プリズム４３、照明光学系１０の光路に斜設されたレバー４５、レバー４５に取り付けられ眼底の共役位置に置かれるスポットミラー４４、ロータリーソレノイド４６、投影レンズ４７とを備える。
レバー４５は光軸上に置かれ、スポットミラー４４は光軸上を避けた位置に置かれるようにレバー４５の先端に取り付けられる。これにより眼底の観察時に、スポットミラー４４からの反射光が眼底上の光軸Ｌ１上を避けた位置に投影される。
【００１９】
スリット指標板４２の光束は、偏角プリズム４３で分離された後、投影レンズ４７を介してスポットミラー４４で反射され、リレーレンズ２１、孔あきミラー２２、対物レンズ２５を経て眼底に投影される。眼底のフォーカスが合っていないとき、スリット指標板４２の指標像（フォーカス指標Ｓ１，Ｓ２）は眼底と共役関係になっていないため眼底に分離して投影される。この場合、フォーカス視標Ｓ１，Ｓ２の分離状態の検出結果に基づき、駆動機構４９の駆動によってフォーカシングレンズ３２及びフォーカス視標投影光学系４０が連動して光軸方向に移動される。一方、眼底のフォーカスが合った状態では、フォーカス指標Ｓ１，Ｓ２は眼底と共役位置にあり合致する。なお、フォーカスが合った状態で眼底撮影が行われるときには、ロータリーソレノイド４６の軸の回転によってレバー４５が光路から退避される。
【００２０】
＜視標呈示光学系＞  視標呈示光学系７０は、患者眼（被検眼眼底）に固視標及び検査視標を呈示する視標呈示部１００を持ち、観察・撮影光学系３０の対物レンズ２５から跳ね上げミラー３４までを共用する。また視標呈示部１００には所定の輝度値にて検査視標を投影する際の投影光束の光量（投影光量）を検出する検出部である光量モニタ１４０が接続され、光量モニタ１４０は制御部８０に接続される。これにより制御部８０は光量モニタ１４０による視標呈示部１００の光量の検出結果に基づき視標呈示部１００の光量の出力を調節する。なお光量モニタ１４０には周知のフォトダイオード等が使用される。
【００２１】
視標呈示部１００には、例えば特開２００３‐１７２９７４号公報に記載の周知の構成が適用される。図３に視標呈示部１００の例を示す。視標呈示部１００は、光源１０１、分光手段としての波長選択ミラー１０２，１０３、反射ミラー１０４〜１０６、表示パネル１１０〜１１２、クロスダイクロプリズム１２０、光路分岐用のビームスプリッター１３０を持つ。光源１０１には白色のＬＥＤ光源が使用される。これ以外にも光源１０１には、ハロゲンランプ等の周知の熱輻射光源や、レーザ光源などを使用できる。
【００２２】
波長選択ミラー１０２は、赤色の波長帯域の光束を反射して、その他の波長帯域の光束を透過させる特性を持つ。波長ミラー１０３は、緑色の波長帯域の光束を反射して、その他の波長帯域の光束を透過させる特性を持つ。反射ミラー１０４は残りの（青色の）波長帯域の光束を反射させる。
表示部である各表示パネル１１０〜１１２は格子状に配置された複数の画素をもち、各画素の駆動で光源１０１からの光束の透過量を調整することで被検眼眼底に投影される指標を形成する。ここでは表示パネル１１０はミラー１０２で反射された赤色の光束で照明される。表示パネル１１１はミラー１０３で反射された緑色の光束で照明される。表示パネル１１２はミラー１０４で反射された青色の光束で照明される。これにより各表示パネル１１０〜１１２によってＲＧＢの各色の画像が形成される。つまり表示パネル１１０の画素の駆動で赤色の映像が形成され、表示パネル１１１の画素の駆動で緑色の映像が形成され、表示パネル１１２の画素の駆動で青色の映像が形成される。そして各色の映像の合成によって白色又はカラーの検査視標が形成される。
【００２３】
なお表示パネル１１０〜１１２には液晶パネル、有機エレクトロルミネッセンスパネル等の周知のものが使用される。更には表示パネルにＭＥＭＳ（Micro Electro Mechanical Systems）等を用いて、画素の駆動により、光源１０１からの各ＲＧＢ光束を反射させて視標を形成しても良い。
【００２４】
クロスダイクロプリズム１２０は、各表示パネル１１０〜１１２を透過した各色の光束を同軸にする。これにより各表示パネル１１０〜１１２に形成されたＲＧＢ毎の画像が合成されて一つの画像が形成される。
ビームスプリッター１３０は、クロスダイクロプリズム１２０で同軸にされた光束を光軸Ｌ２に導くと共に、光束の一部を反射して光量モニタ１４０に導く。
以上の構成により、光源１０１から照射された光束は波長選択ミラー１０２、１０３、反射ミラー１０４を介して、赤色（Ｒ）、緑色（Ｇ）、青色（Ｂ）の異なる波長帯域を持つ３つの光束成分に一旦分光される。そしてＲ光束は反射ミラー１０５を介して表示パネル１１０を照明し、Ｇ光束は直接表示パネル１１１を照明し、Ｂ光束は反射ミラー１０６を介して表示パネル１１２を照明する。各表示パネル１１０〜１１２を透過した光束は、クロスダイクロプリズム１２０で同軸にされ、プリズム１２０で反射された光束は光路分起用プリズム１３０を透過して光軸Ｌ２に導かれる成分と、プリズム１３０で反射されて光量モニタ１４０に入射される成分とに分けられる。
【００２５】
光量モニタ１４０はプリズム１３０による反射光量を検出する。光量モニタ１４０で信号が検出されると、制御部８０は光量モニタ１４０による光量の検出結果に基づき光源１０１の輝度（光量）が一定値となるようにを調節する。これにより、光源の経時劣化による輝度の低下、光源ごとの特性のばらつきに関わらず、ビームスプリッター１３０で反射され光軸Ｌ２方向に導かれる光束の光量を一定に保つことができるようになる。
以上の視標呈示光学系によって、被検眼眼底に投影される検査視標の輝度が変化される。
【００２６】
＜制御系＞  制御部８０は、上述の光学系及び制御系に接続されて各種動作制御を行う。また制御部８０には記憶部であるメモリ８３が接続され、各種プログラムや、光源１０１の光量の基準値（設定値）の情報等が予め記憶されている。また制御部８０は光量モニタ１４０による投影光束の光量の検出結果が所定の光量レベルとなるように、投影光量の検出結果に基づき視標呈示光学系７０の投影光束を調整する。例えば、制御部８０は光量モニタ１４０による投影光束の光量の検出時に液晶パネル１１０〜１１２を所定の透過率に設定する。また制御部８０は視標呈示部１００の光源１０１の出力変更と表示パネル１１０〜１１２の画素制御により投影光束を調節する。
【００２７】
次に以上のような構成を備える眼底撮影装置の動作を説明する。
まず装置を起動させると、光源１０１の出力がチェックされる。制御部８０によって光源１０１が所定光量となるように点灯されると、上述のように各表示パネル１１０〜１１２に合成されたＲＧＢの波長帯域毎の画像がクロスダイクロプリズム１２０で合成される。クロスダイクロプリズム１２０で合成された光束はビームスプリッター１３０を介して光軸Ｌ２に導かれると共に、その光量の一部はビームスプリッター１３０で反射されて光量モニタ１４０に入射される。制御部８０は光量モニタ１４０で検出された光量とメモリ８３に記憶されている基準値（光量）とを比較する。測定光量と基準値との差分が所定の誤差範囲であると判断されると、制御部８０は光源１０１の出力又は表示パネル１１０〜１１２の画素制御の状態を変えずに視野検査を開始する。一方、光量モニタ１４０の測定光量と基準値を比較した結果、測定光量が基準値に対して所定の誤差範囲から外れると判断されると、制御部８０は、光源１０１の出力又は表示パネルの画素制御によって、光源１０１の測定光量が基準値に対して所定の誤差範囲となるようにする。例えば、測定光量が基準値よりも低い場合には、制御部８０は光源１０１の光量を増加させるように出力を調整することで、被検眼眼底に対する指標の投影光束の光量を調節する。そして新たに設定された光源１０１の出力の基準値をメモリ８３に記憶させる。又は光源１０１の出力を変えずに、各表示パネル１１０〜１１２の透過率を変えることで、眼底に投影される指標の投影光束の光量を調節する。そして新たに設定された各表示パネル１１０〜１１２の透過率の情報をメモリ８３に記憶させる。
このように装置の起動時に指標の投影光束の光量補正が行われることで、光源１０１の劣化や光源１０１の交換等による条件変化に関わらず、常に一定の光量で検査視標を投影でき、所定の検査精度を維持できるようになる。
【００２８】
以上のように光源１０１の出力の基準値の補正が完了したら、患者の顔を装置１に近づけ、撮影眼（患者眼Ｅ）を、撮影窓９に合わせて装置内部を覗き込ませ、前眼部像を用いた位置合わせ（アライメント）を開始する。制御部８０による駆動手段２２ａの駆動で光軸Ｌ１に前眼部観察補助レンズ２２を置き、光源３５ａ、３５ｂを点灯させると患者眼Ｅの前眼部が照明され、角膜上にアライメント視標が投影されるようになる。また制御部８０は、視標呈示部１００の駆動で患者眼Ｅに固視標を呈示させる。具体的には制御部８０は光源１０１を点灯させた状態で、各表示パネル１１０〜１１２の画素の駆動で光軸Ｌ２に対応する位置に固視標を形成する。
【００２９】
眼Ｅが固視標で誘導されると、モニタ８に前眼部像が表示される。図４にモニタ８に表示される前眼部像の例を示す。ここでは、撮像素子３８で撮像された前眼部像Ｆ１上に矩形状のアライメント視標Ｍ１、Ｍ２が現れている。制御部８０は、アライメント視標Ｍ１、Ｍ２の受光結果に基づき撮影部３と患者眼Ｅとの位置合わせ（アライメント）を行う。
制御部８０は、撮像素子３８で撮像されたアライメント指標像Ｍ１、Ｍ２から求められる中間位置と、撮像素子３８で検出された前眼部像から求められる瞳孔中心を一致させるように、駆動部６の駆動で撮影部３全体を上下左右（ＸＹ）方向に移動させる。またアライメント視標Ｍ１、Ｍ２が所定間隔となるように、駆動部６の駆動で撮影部３を眼Ｅに対して前後（Ｚ）方向に移動させる。なお本実施形態のアライメント動作の詳細な説明は国際公開２００８／０６２５２７号公報を参照されたい。
三次元方向のアライメントが許容範囲に入ると、制御部８０はアライメントの完了を判断して、眼底のフォーカス合わせを開始する。
【００３０】
制御部８０は光源３５ａ，３５ｂを消灯させ、駆動手段２６ａの駆動で前眼部観察補助レンズ２６を光路上から退避させて、光源１１を点灯させる。
図５はモニタ８に表示される眼底像の例であり、図５（ａ）に眼底のフォーカスが合っていない状態、図５（ｂ）に眼底のフォーカスが合っている状態が示されている。制御部８０は、撮像素子３８の撮像範囲の輝度分布に基づき、フォーカス指標Ｓ１，Ｓ２の位置を特定し、検出されたフォーカス指標Ｓ１，Ｓ２間の距離（分離状態）を求め、検出結果に基づくフォーカス合わせを行う。
【００３１】
図５（ａ）に示されるようにフォーカスが合っていないとき、制御部８０はフォーカス視標Ｓ１，Ｓ２が合致するように、フォーカシングレンズ３２を光軸Ｌ１上で移動させる。そして制御部８０によってフォーカスが適切であると判断されるとフォーカス調節が完了する。
モニタ８に眼底像Ｆ２が鮮明に映る状態となると、制御部８０によって視野計測中に生じる眼Ｅの移動及び回旋により生じる眼Ｅと撮影部３（光軸Ｌ１）の位置ずれを補正するオートアライメント、呈示視標の位置ずれを補正するトラッキングが行われる。なおオートアライメント及びトラッキングについての詳細な説明は特開２０１１‐２５５０４５号公報を参照されたい。
【００３２】
次に、制御部８０は、メモリ８３に予め記憶されている視野計測プログラムに従い、眼Ｅに視野検査視標を呈示させる。制御部８０は上述の固視標の呈示方法と同じく、検査視標の呈示位置に対応させて各表示パネル１１０〜１１２の画素の駆動を制御することで、眼底の所期の位置に固視標及び検査視標を呈示させる。また光源１０１の出力又は表示パネル１１０〜１１２の画素の駆動により視野検査視標の輝度（明るさ）を所定のステップで変更させる（例えば１ｄＢステップ）。この時、装置の起動時に補正された光量の基準値を基準として検査視標の投影光束の光量が制御されるので、患者眼に所定輝度の検査視標が精度良く投影されるようになる。
【００３３】
以上のような視標呈示部１００の駆動制御で、視野検査指標の呈示位置がランダムに切り変えられると共に、視野検査指標の輝度が変更される。このとき、患者は固視標による固視を維持しながら、視野検査視標を認識したら応答ボタン７ｂを押す。制御部８０は、入力信号に基づきそのときの視野検査視標の輝度を、その計測点における患者の認識可能な感度の応答情報としてメモリ８３に記憶させる。一方、視野検査視標に対する応答ボタン７ｂの入力が無い場合には、そのときの視野検査視標の輝度を、計測点における患者が認識できない感度の応答情報としてメモリ８３に記憶させる。
【００３４】
この時、上述したように装置の起動時に光源１０１の出力値又は液晶パネル１１０〜１１２の透過率が補正されていることで、眼底には所期の投影光量の検査視標が投影される。その為、患者の視野検査結果を精度良く得ることができる。
すべての計測点での視野検査が終了すると、制御部８０は眼底視野の感度閾値の分布状態をモニタ８に表示させる。検者はモニタ８に表示された視野感度の分布状態から網膜上の視機能の分布を確認する。
【００３５】
以上のように装置の起動時に検査視標の投影光量が補正（調整）されることで、患者眼の検査精度を維持できるようになる。また装置の起動時に光源１０１の光量低下が自動的に検出して補正されるため検者の手間を軽減することもできる。
なお以上のような投影光量の補正は、装置の起動時だけでなく任意のタイミングで行うことができる。例えば、コントロール部７ａの操作で投影光量の検出が行われる時期を検者が設定しても良い。具体的には装置の起動回数がメモリ８３に蓄積される状態で、装置の起動が所定回数繰り返された時に投影光量の検出が実行されるように設定しても良い。又は視野検査が開始される直前に投影光量の検出の制御が実行されても良い。
【００３６】
なお本発明は上記の実施形態に限定されるものではない。
例えば上記では光源１０１に白色光源を用いる例を示したが、ＲＧＢのそれぞれの波長帯域を持つ複数の光源が設けられても良い。なおこの場合は、図３において光源１０１の光束の波長帯域を選択するミラー１０２、１０３等の構成を省略できる。
【００３７】
またＲＧＢの波長帯域毎に投影光量を検出して色温度を補正しても良い。例えば図３において、各表示パネル１１０〜１１２のオン（ＯＮ）とオフ（ＯＦＦ）の切り替えによって、光量モニタ１４０でＲＧＢ毎の異なる波長帯域の光量を検出する。例えばＲ成分の光量を検出する場合には、表示パネル１１０のみをＯＮにし、表示パネル１１１、１１２をＯＦＦにする。同様にＧ成分の光量検出では表示パネル１１１をＯＮにして表示パネル１１０、１１２をＯＦＦにする。Ｂ成分の光量検出では表示パネル１１２をＯＮにして、表示パネル１１０，１１１をＯＦＦにする。そして制御部８０は光量モニタ１４０によるＲＧＢ毎の光量の検出結果に基づき、各表示パネル１１０〜１１２の画素の駆動でその透過量（投影量）を調節し、ＲＧＢ毎の投影光量の出力を個別に調節する。なおこの場合にはメモリ８３にＲＧＢ毎の投影光量の基準値が記憶されているとする。
【００３８】
以上のように、視標の色温度が一定に保たれることで、例えば、装置の光源の種類が変わった場合であっても光源１０１の色温度が一定に保たれるようになる。特にカラーの検査視標による検査を行う場合に、色温度が一定に保たれることで所定の検査精度を維持できることが期待される。
勿論、光源１０１にＲＧＢ各色の複数の光源が用いられる場合には、各光源の光量又は各ＲＧＢ光源に対応付けられた液晶パネルが個別に調節されても良い。
【００３９】
なおこのような色温度の補正は、表示パネル１１０〜１１２の局所領域で異なる色温度となるように補正されてもよい。このようにするとモニタ８の同一画面上で異なる色温度の画像を形成できるようになる。
また上記では眼底に検査視標を投影して患者の応答に基づく視野検査を行う例を説明した。これ以外にも本発明は患者眼に検査視標を呈示する視標呈示部を備える装置に適用可能であり、光源の光量の出力値（透過量）に基づく輝度又は色度の補正が行われることで常に所定の精度での検査結果を得ることができるようになる。
【図面の簡単な説明】
【００４０】
【図１】眼底検査装置の外観構成図である。
【図２】眼底検査装置の光学系及び制御系の説明図である。
【図３】視標呈示部の説明図である。
【図４】モニタに表示される前眼部像の例である。
【図５】モニタに表示される眼底像の例である。
【符号の説明】
【００４１】
１  眼底検査装置
１０  照明光学系
３０  観察・撮影光学系
４０  フォーカス指標投影光学系
８０  制御部
１００  視標呈示部
１１０、１１１、１１２  表示パネル
１３０  ビームスプリッター
１４０  光量モニタ
【図１】
2013248009.tif 000003
【図２】
2013248009.tif 000004
【図３】
2013248009.tif 000005
【図４】
2013248009.tif 000006
【図５】
2013248009.tif 000007